(57)【特許請求の範囲】
【請求項１】
平板状をなし、水平方向に延出して配置された基本部材と、前記基本部材の底面から垂下し、水平面の接地底面を有する複数の脚と、少なくとも前記基本部材の一端側から張り出す張り出し片を備えた擁壁形成部材と、コンクリート製部材で形成され、肉薄の平板状をなすベース板と該ベース板から立ち上がり該ベース板の幅方向一端から他端側に向かい上り勾配の傾斜面を上面に形成した平板状をなす載置部とを有する基礎用部材と、を備え
現場で埋設設置される基礎用部材の前記傾斜面として形成された載置部上に、前記擁壁形成部材を構成する水平面の接地底面を有する脚を併せて該擁壁構成部材を順次積み重ね、  前記基礎用部材の埋設設置は、前記載置部の斜面状上端面が擁壁設置側に向かって上り急勾配の傾斜となるよう行われる、
ことを特徴とする植樹壁用擁壁形成装置。
【請求項２】
平板状をなし、水平方向に延出して配置された基本部材と、前記基本部材の底面から垂下し、水平面の接地底面を有する複数の脚と、前記基本部材の一端側から張り出す第１張り出し片が、他端側からは前記第１張り出し片とほぼ同様あるいは異なる傾斜で張り出す第２張り出し片が設けられた擁壁形成部材と、コンクリート製部材で形成され、肉薄の平板状をなすベース板と該ベース板から立ち上がり該ベース板の幅方向一端から他端側に向かい上り勾配の傾斜面を上面に形成した平板状をなす載置部とを有する基礎用部材と、
を備え
現場で埋設設置される基礎用部材の前記傾斜面として形成された載置部上に、前記擁壁形成部材を構成する水平面の接地底面を有する脚を併せて該擁壁構成部材を順次積み重ね、前記基礎用部材の埋設設置は、前記載置部の斜面状上端面が擁壁設置側に向かって上り急勾配の傾斜となるよう行われ、かつ、前記擁壁構成部材は、現場の状況によって、前記第１張り出し片か前記第２張り出し片のいずれかを外側に施工し、内側に埋設された張り出し片はアンカーとなる、ことを特徴とする植樹壁用擁壁形成装置。
【請求項３】
平板状をなし、水平方向に延出して配置された基本部材と、前記基本部材の底面から垂下し、水平面の接地底面を有する複数の脚と、前記基本部材の一端側から張り出す第１張り出し片が、他端側からは前記第１張り出し片とほぼ同様あるいは異なる傾斜で張り出す第２張り出し片が設けられた擁壁形成部材と、コンクリート製部材で形成され、肉薄の平板状をなすベース板と該ベース板から立ち上がり該ベース板の幅方向一端から他端側に向かい上り勾配の傾斜面を上面に形成した平板状をなす載置部とを有する基礎用部材と、
を備え
現場で埋設設置される基礎用部材の前記傾斜面として形成された載置部上に、前記擁壁形成部材を構成する水平面の接地底面を有する脚を併せて該擁壁構成部材を順次積み重ね、前記基礎用部材の埋設設置は、前記載置部の斜面状上端面が擁壁設置側に向かって上り急勾配の傾斜となるよう行われ、かつ、前記擁壁構成部材は、現場の状況によって、前記第１張り出し片か前記第２張り出し片のいずれかを外側に施工し、内側に埋設された張り出し片はアンカーとなり、
前記基礎用部材は、ベース板と該ベース板から立ち上がる１個の載置部とからなる複数の基礎用ユニット９・・・によって構成され、該基礎用部材の埋設設置は、前記複数の基礎用ユニット９・・・毎に掘削して埋設設置される、
ことを特徴とする植樹壁用擁壁形成装置。
【発明の詳細な説明】
【０００１】
【発明の属する技術分野】
本発明は、擁壁に樹木あるいは草花などを植え、植樹壁として構成する植樹壁用擁壁形成装置に関するものである。
【０００２】
【従来の技術】
近年、擁壁形成に際し、樹木あるいは草花などを外側に植え、植樹壁として構成する植樹壁用擁壁の形成は本件発明者が多数創案しているところである。すなわち、自然環境を破壊することなく、構築後には永年にわたって山林のように充分な緑で覆われて緑化構想を促進でき、しかも防音効果をも発揮し、かつ長期間にわたって強固に構築しうる等の要求を満たす擁壁は、今まで提案されていなかったが、そのような要求を満たす擁壁の開発を本件発明者はなしたのである。
【０００３】
よって、自然環境を破壊することなく、構築後には山林のように充分な緑で覆われ、しかも防音効果、遮音効果あるいは吸音効果が考慮され、かつ長期間にわたって強固に構築される擁壁が提供されるに至ったのである。
【０００４】
【発明が解決しようとする課題】
かくして、本件発明は前記本件発明者一連の発明である植樹壁の形成につき、さらに改良をなしたものであり、植樹壁形成部材あるいは形成された植樹壁自体の耐久性を向上させ、かつ製造コストを安価にした植樹壁用擁壁形成装置を提供することを目的とするものである。
【０００５】
【課題を解決するための手段】
本発明は、平板状をなし、水平方向に延出して配置された基本部材と、前記基本部材の底面から垂下し、水平面の接地底面を有する複数の脚と、少なくとも前記基本部材の一端側から張り出す張り出し片を備えた擁壁形成部材と、コンクリート製部材で形成され、肉薄の平板状をなすベース板と該ベース板から立ち上がり該ベース板の幅方向一端から他端側に向かい上り勾配の傾斜面を上面に形成した平板状をなす載置部とを有する基礎用部材と、を備え
現場で埋設設置される基礎用部材の前記傾斜面として形成された載置部上に、前記擁壁形成部材を構成する水平面の接地底面を有する脚を併せて該擁壁構成部材を順次積み重ね、前記基礎用部材の埋設設置は、前記載置部の斜面状上端面が擁壁設置側に向かって上り急勾配の傾斜となるよう行われる、ことを特徴とし、
また、平板状をなし、水平方向に延出して配置された基本部材と、前記基本部材の底面から垂下し、水平面の接地底面を有する複数の脚と、前記基本部材の一端側から張り出す第１張り出し片が、他端側からは前記第１張り出し片とほぼ同様あるいは異なる傾斜で張り出す第２張り出し片が設けられた擁壁形成部材と、コンクリート製部材で形成され、肉薄の平板状をなすベース板と該ベース板から立ち上がり該ベース板の幅方向一端から他端側に向かい上り勾配の傾斜面を上面に形成した平板状をなす載置部とを有する基礎用部材と、を備え
現場で埋設設置される基礎用部材の前記傾斜面として形成された載置部上に、前記擁壁形成部材を構成する水平面の接地底面を有する脚を併せて該擁壁構成部材を順次積み重ね、前記基礎用部材の埋設設置は、前記載置部の斜面状上端面が擁壁設置側に向かって上り急勾配の傾斜となるよう行われ、かつ、前記擁壁構成部材は、現場の状況によって、前記第１張り出し片か前記第２張り出し片のいずれかを外側に施工し、内側に埋設された張り出し片はアンカーとなる、ことを特徴とし、
または、平板状をなし、水平方向に延出して配置された基本部材と、前記基本部材の底面から垂下し、水平面の接地底面を有する複数の脚と、前記基本部材の一端側から張り出す第１張り出し片が、他端側からは前記第１張り出し片とほぼ同様あるいは異なる傾斜で張り出す第２張り出し片が設けられた擁壁形成部材と、を有し、コンクリート製部材で形成され、肉薄の平板状をなすベース板と該ベース板から立ち上がり該ベース板の幅方向一端から他端側に向かい上り勾配の傾斜面を上面に形成した平板状をなす載置部とを有する基礎用部材と、を備え
現場で埋設設置される基礎用部材の前記傾斜面として形成された載置部上に、前記擁壁形成部材を構成する水平面の接地底面を有する脚を併せて該擁壁構成部材を順次積み重ね、前記基礎用部材の埋設設置は、前記載置部の斜面状上端面が擁壁設置側に向かって上り急勾配の傾斜となるよう行われ、かつ、前記擁壁構成部材は、現場の状況によって、前記第１張り出し片か前記第２張り出し片のいずれかを外側に施工し、内側に埋設された張り出し片はアンカーとなり、前記基礎用部材は、ベース板と該ベース板から立ち上がる１個の載置部とからなる複数の基礎用ユニット９・・・によって構成され、該基礎用部材の埋設設置は、前記複数の基礎用ユニット９・・・毎に掘削して埋設設置される、ことを特徴とする。
（作用）本発明によれば、平板状をなし、水平方向に延出して配置された基本部材と、前記基本部材の底面から垂下し、水平面の接地底面を有する複数の脚と、少なくとも前記基本部材の一端側から張り出す張り出し片を備えた擁壁形成部材と、コンクリート製部材で形成され、肉薄の平板状をなすベース板と該ベース板から立ち上がり該ベース板の幅方向一端から他端側に向かい上り勾配の傾斜面として形成された載置部とを有する基礎用部材と、を備え
現場で埋設設置される基礎用部材の前記傾斜面として形成された載置部上に、前記擁壁形成部材を構成する水平面の接地底面を有する脚を併せて該擁壁構成部材を順次積み重ね、前記基礎用部材の埋設設置は、前記載置部の斜面状上端面が擁壁設置側に向かって上り急勾配の傾斜となるよう行われる、ことから、作業手間を大幅に削減でき、製造コストも大幅に削減できる。
【０００６】
さらに、平板状をなし、水平方向に延出して配置された基本部材と、前記基本部材の底面から垂下し、水平面の接地底面を有する複数の脚と、前記基本部材の一端側から張り出す第１張り出し片が、他端側からは前記第１張り出し片とほぼ同様あるいは異なる傾斜で張り出す第２張り出し片が設けられた擁壁形成部材と、を有し、ベース板と、該ベース板から立ち上がり、前記擁壁形成部材の接地底面が載置する傾斜面からなる載置部とを有する基礎用部材ユニットを複数組み合わせて形成可能とされた基礎用部材と、を有して構成してあるため、さらに作業コスト、製品の製造コストを大幅に削減できる。
【０００７】
【発明の実施の形態】
以下、本発明を図に示す実施の形態に基づいて説明する。図１において、符号１は擁壁形成部材を示す。図１から理解されるように、該擁壁形成部材１は基本部材２と一対の脚３、３と第１張り出し片４とを備えて形成されている。
【０００８】
ここで、基本部材２は一般にコンクリート部材で形成されており、略長方形の平板状をなし、かつ水平方向に延出して配置されている。また、該基本部材２の底面からは垂下した一対の脚３、３が形成されている。この一対の脚３、３は図１に示すように、略長方体状をなし、その接地底面は水平面として構成されている。
【０００９】
さらに、前記基本部材２の一端側からは斜め上方に勾配を有して張り出す第１張り出し片４が形成されている。そして、これら一対の脚３、３及び第１張り出し片４も基礎部材２と同様に一般にコンクリート部材で形成されている。次に図４において符号５は基礎用部材を示す。
【００１０】
該基礎用部材５についてもコンクリート製部材で形成され、肉薄の平板状をなすベース板６と、該ベース板６から立ち上がり、ベース板６の幅方向一端から他端側に上り勾配の傾斜面として形成された載置部７とで形成されている。ここで、本発明の一使用状態につき説明すると、従来は図９から理解されるように、図９に示すような形状をなす基礎８を現場打ちし、その上に各種類の擁壁用部材を複数積み上げて擁壁を形成するものであった。
【００１１】
これに対し、本発明では、あらかじめ図４に示すような基礎用部材５を一つの製品として形成しておき、これを現場で埋設設置するだけでよい。しかも、この基礎用部材５は従来の現場打ち部材と比較し、全体として肉厚にならず、薄肉のベース板６に一対の載置部７、７を突片状に形成したものであるから、原材料（コンクリート）の量を大幅に節減でき、かつ製品の重量もかなり軽量化できることとなる。
【００１２】
しかして前記のように埋設設置した基礎用部材５の上に前記擁壁形成部材１を順次積み重ねる。この際、基礎用部材５の一対の載置部７、７に擁壁形成部材１の脚３、３を併せて積み重ねるようにする。ここで、基礎用部材５の埋設設置は、前記一対の載置部７、７、の斜面状上端面が擁壁設置側に向かって上り急勾配の傾斜となる様に設置する。
【００１３】
すると、基礎用部材５の上に積み重ねられた擁壁形成部材１は図３に示すような傾斜をもって順次積み重ねられることとなる。この正面図については図２に示す通りである。尚、図２に示す実施の形態では、脚３が２本の場合について示したが、かかる実施の形態に限定されるものではなく、脚３は３本でも４本の場合でも構わないものである。
【００１４】
次に、図５に基礎用部材５を２個の基礎用部材ユニット９、９で構成した例を示す。この様に本発明では、基礎用部材５を複数の基礎用部材ユニット９で構成できる。 しかして、かかる構成であれば、脚３がたとえ複数からなる擁壁形成部材１を積み上げ載置する場合でも、充分に対処することができる。
【００１５】
ここで、基礎用部材５を複数の基礎用部材ユニット９で構成する場合には、図６から理解されるように、基礎用部材ユニット９毎に掘削して埋設設置すればよい。この実施の形態であれば、原材料たるコンクリート部材を大幅に節減することができ、もって製造コストを安価にでき、さらに掘削の手間も大幅に省くことができるためその面からのコストも安価にできる。
【００１６】
次に、図７及び図８に本発明による擁壁形成部材１の変形例を示す。当該擁壁形成部材１では一端側から第１張り出し片４が、他端側から第２張り出し片１０が形成されている。よって、植樹壁を施工する現場の状況によっては、第１張り出し片４か第２張り出し片１０のいずれかを外側にするよう考えればよく、バラエテイーに富んだ植樹壁の施工が行える。
【００１７】
そして、第１張り出し片４か第２張り出し片１０のいずれかを外側になるよう設置したときは、第１張り出し片４か第２張り出し片１０のいずれかが内側に埋設されることとなり、埋設された第１張り出し片４か第２張り出し片１０のいずれかは強固なアンカーとなる。尚、図８に示す擁壁形成部材１は、他端側にアンカー部材１１をあらかじめ形成した例であって、こちらの面が表面側に露出する場合はあまりない。
【００１８】
【発明の効果】
かくして、本発明は以上の構成からなる。そして、本発明によれば植樹壁形成部材あるいは形成された植樹壁自体の耐久性を向上させることができ、かつ製造コストを安価にした植樹壁用擁壁形成装置を提供することができる。
【図面の簡単な説明】
【図１】本発明による擁壁形成部材の構成を説明する概略構成説明図である。
【図２】本発明による擁壁形成部材の構成を説明する正面図である。
【図３】本発明の使用状態を説明する説明図である。
【図４】本発明による基礎用部材の構成を説明する説明図である。
【図５】他の実施の形態による基礎用部材の構成を説明する説明図である。
【図６】他の実施の形態による基礎用部材の使用状態を説明する説明図である。
【図７】他の実施の形態による擁壁形成部材の構成を説明する概略構成説明図（その１）である。
【図８】他の実施の形態による擁壁形成部材の構成を説明する概略構成説明図（その２）である。
【図９】従来の基礎を示す説明図である。
【符号の説明】
１ 擁壁形成部材
２ 基本部材
３ 脚
４ 第１張り出し片
５ 基礎部材
６ ベース板
７ 載置部
８ 従来の基礎
９ 基礎用部材ユニット
１０ 第２張り出し片
１１ アンカー部材
【図１】
0003781828.tif 000002
【図２】
0003781828.tif 000003
【図３】
0003781828.tif 000004
【図４】
0003781828.tif 000005
【図５】
0003781828.tif 000006
【図６】
0003781828.tif 000007
【図７】
0003781828.tif 000008
【図８】
0003781828.tif 000009
【図９】
0003781828.tif 000010